(57)【要約】【課題】既設の座椅子タイプの便器の便座に装着することができ、快適に使用することができる便座ヒータを提供することである。【解決手段】座椅子タイプの便器の便座１に沿って配置される便座ヒータ２である。便座ヒータ２は、横断面が略Ｃ字形状の筐体３と、面形状のヒータ部材６と、裏カバー７を有する。筐体３の内部には、ヒータ部材６が配置される。さらに筐体３の内部に裏カバー７が装着される。そのため、ヒータ部材６は筐体３と裏カバー７によって挟持される。筐体３には、開口縁４，５が設けられており、筐体３を弾性変形させることにより開口縁４，５の間隔を拡げ、便座ヒータ２を便座１に装着する。【選択図】図３
2013000443.tif 000002
【特許請求の範囲】
【請求項１】
座椅子タイプの便器の便座に装着する便座ヒータであって、
弾性変形可能に構成された熱伝導性を有する筐体と、ヒータ部材とを有し、
前記筐体は、便座の上面側を覆うと共に便座の下面に弾性により係合して便座に対して装着可能であり、
前記ヒータ部材は、筐体と便座の間に配置されることを特徴とする便座ヒータ。
【発明の詳細な説明】
【技術分野】
【０００１】
本発明は、既設の座椅子タイプの便器の便座に装着することができる便座ヒータに関する。
【背景技術】
【０００２】
昨今の座椅子タイプの便器は、電気ヒータを備えた製品が主流を占め、便座の温度を体温に近い温度に設定することができ、非常に快適に用を足すことができる。しかし、電気ヒータが損傷したり、便座の裏面が熱により変色した場合、便座全体を取り替える必要があった。
【０００３】
そこで、既設の便器に装着することができる便座用暖房装置が発案され、このような便座用暖房装置が特許文献１に開示されている。特許文献１に開示されている便座用暖房装置は、便座上に発熱体を載置し、便座と発熱体とを固定用テープで一体的に固定する構成を有している。
【先行技術文献】
【特許文献】
【０００４】
【特許文献１】特開２００２−３６０４６７号公報
【発明の概要】
【発明が解決しようとする課題】
【０００５】
特許文献１に開示されている便座用暖房装置では、発熱体が直に人の足や臀部に密着する。そのため、発熱体の温度調整を微妙に調整しなければ、加熱が不足したり、逆に加熱しすぎると、利用者が不快な思いをすることとなる。また、特許文献１に開示されている便座用暖房装置では、発熱体を便座に対して固定用テープで固定するので、固定用テープが人の足や臀部に密着し、足や臀部に固定用テープの形がついてしまう。
【０００６】
そこで本発明は、既設の座椅子タイプの便器の便座に装着することができ、快適に使用することができる便座ヒータを提供することを目的とする。
【課題を解決するための手段】
【０００７】
上記課題を解決するための請求項１に記載の発明は、座椅子タイプの便器の便座に装着する便座ヒータであって、弾性変形可能に構成された熱伝導性を有する筐体と、ヒータ部材とを有し、前記筐体は、便座の上面側を覆うと共に弾性により便座の下面に係合して便座に対して装着可能であり、前記ヒータ部材は、筐体と便座の間に配置されることを特徴とする便座ヒータである。
【０００８】
請求項１の発明では弾性変形可能に構成された熱伝導性を有する筐体が、便座の上面側を覆うと共に便座の下面に係合して便座に対して弾性により装着可能である。そして便座と筐体の間にはヒータ部材が配置されるので、ヒータ部材によって筐体は加熱可能である。よって、筐体を昇温させることができる。また、便座に装着された筐体は、弾性変形させることによって便座から取り外すことができる。よって、ヒータ部材や筐体のメンテナンスを容易に実施することができる。さらに、請求項１の発明では、ヒータ部材が人の足や臀部に直に触れることがなく、安全である。
【発明の効果】
【０００９】
本発明の便座ヒータは、既設の便座に対して着脱可能である。よって、便器或いは便座を改造する、又は、取り替えることなく便座を快適な温度に設定することができる。また、本発明の便座ヒータは便座に対して弾性により装着しているために容易に取り外しでき、メンテナンスも容易である。さらに、ヒータ部材が直に人に触れることがなく、安全である。
【図面の簡単な説明】
【００１０】
【図１】（ａ）は本発明の便座ヒータを装着する便座の平面図であり、（ｂ）は（ａ）のＡ−Ａ断面図である。
【図２】本発明の便座ヒータの断面図であり、（ａ）は自然状態を示しており、（ｂ）は（ａ）の便座ヒータを弾性変形させて便座に装着可能にした状態を示している。
【図３】本発明の便座ヒータを便座に装着した状態を示す断面図である。
【発明を実施するための形態】
【００１１】
以下では、本発明の便座ヒータの実施形態について、図面を参照しながら詳細に説明する。なお、以下の説明は、実施形態の理解を容易にするためのものであり、これによって、本発明が制限して理解されるべきではない。
【００１２】
便座１は、図１（ａ）に示すように平面視で略Ｃ字形状を呈している。便座１の横断面は、図１（ｂ）に示すように扁平な略四角形形状を呈している。すなわち便座１は、上面１ａ、側面１ｂ，１ｃ、下面１ｄを有する。
【００１３】
図１（ａ），（ｂ）に示す便座１に装着する本発明の便座ヒータ２は、図２（ａ）に示すような構成を有している。すなわち、便座ヒータ２は、筐体３，ヒータ部材６，裏カバー７を備えている。
【００１４】
以下、便座ヒータ２の構成を順に説明する。
【００１５】
筐体３は、横断面が略Ｃ字形状を呈する薄板状の部材である。筐体３の厚みは、例えば０．５〜１．５ｍｍ程度である。また、筐体３は、図１（ａ）に示す便座１の二点鎖線Ｂで示す部位から先端部８に至る長さを有しており、便座１における二点鎖線Ｂで示す部位から先端部８までを覆うことができる。すなわち図１（ａ）に破線で示すように、筐体３は平面視して円弧形状を呈しており、便座１に沿っている。また筐体３は、図２（ａ）に示すように断面視して下方が開口しており、開口縁４，５を有している。
【００１６】
筐体３は、ＰＭＭＡ（ポリメチルメタアクリレート樹脂）やＰＰ（ポリプロピレン）等の対薬品性に優れた素材で、射出成形や真空成形によって構成されている。筐体３は、便座１の左右の部位に各々装着される。すなわち、筐体３は、左右対称形状に２種類製造される。図１（ａ）では、そのうちの右側部分のみを破線で仮想的に示している。
【００１７】
ヒータ部材６は面形状を呈しており、筐体３の内側（裏面）に密着するように配置される。ヒータ部材６としては、薄くて柔軟性を有するマイクロチューニングヒータや、カーボンヒータ、シリコンラバーヒータ等を採用するのが好ましい。
【００１８】
また、ヒータ部材６の電源としては、一般家庭用の商用電源や電池を採用することができる。商用電源を採用する場合には、図示しない電気配線によってヒータ部材６と商用電源（図示せず）とが接続される。また、人体感知センサを設けるか、もしくは有線式又は無線式の操作装置により、ヒータ部材６への電力の供給のＯＮ／ＯＦＦや電力の供給量の増減を加減することができる。
【００１９】
最後に裏カバー７は、ヒータ部材６を筐体３に固定する部材である。すなわち裏カバー７は、筐体３の内側（裏面側）に固定することができる平板状の部材である。裏カバー７を筐体３に装着する際には、筐体３の開口縁４，５の間隔を広げる。その結果、開口縁４，５の間に裏カバー７を通過させることができ、さらに開口縁４，５を元の位置に戻すと、裏カバー７は筐体３の内部で挟持される。また、図示していないが、筐体３の内側に、複数の突起を設けておき、裏カバー７の縁をこれらの突起に係合させることにより、裏カバー７を筐体３の内側に固定することも可能である。そして、筐体３と裏カバー７によって、内部空間１０が形成される。
【００２０】
裏カバー７は、耐水性，絶縁性，断熱性，及びクッション性を有する素材で形成されている。裏カバー７は単一の素材で構成してもよいが、複数の素材を積層した構造であっても差し支えない。そして、ウレタン等の断熱性を有する素材で断熱層を形成することも可能である。
【００２１】
前述のヒータ部材６は、裏カバー７によって筐体３の内面（裏面）に密着するように固定される。そして、ヒータ部材６の熱は、断熱性を有する裏カバー７よりも、熱伝導性が良好の筐体３側へ優先的に伝達され、筐体３が昇温する。筐体３の上面は、座面部９（図３）を構成し、人の足や臀部が直に触れる部位である。
【００２２】
以上説明した構成を有する便座ヒータ２が、便座１に装着される。その際、筐体３の開口縁４，５の間隔を筐体３の弾性力に抗して拡げ、内部空間１０に便座１を収容する。その結果、図３に示す状態となる。すなわち、間隔が拡がった開口縁４，５の間を便座１が通過し、その後筐体３の弾性によって開口縁４，５の間隔が元に戻り、開口縁４，５が便座１の下面１ｄに係合し、便座ヒータ２は便座１に安定して固定される。
【００２３】
図３に示す状態では、便座１の上面が裏カバー７の下面と密着し、便座１の側面１ｂ、１ｃの一部又は全部が筐体３の側部内面に当接し、便座１の下面の両端に開口縁４，５が係合している。この状態でヒータ部材６の電源を投入すると、ヒータ部材６の熱は、裏カバー７によって遮断されて便座１側へは伝達されにくく、筐体３の上面側（座面部９）へ優先的に伝達される。よって、効率よく座面部９を昇温させることができる。
【００２４】
尚、この場合、筐体３は座面部９を形成する材質を熱伝導性が良好なものとし、開口縁４，５を形成する材質を弾性が大なるものとして同時成形、二色成形等により形成しても良い。
【００２５】
また、便座１又は便座ヒータ２を清掃等のメンテナンスする際には、筐体３の開口縁４，５の間隔を拡げ、便座１から便座ヒータ２を容易に取り外すことができる。
【符号の説明】
【００２６】
１    便座
２    便座ヒータ
３    筐体
４    筐体の開口縁
５    筐体の開口縁
６    ヒータ部材
７    裏カバー
９    座面部
【図１】
2013000443.tif 000003
【図２】
2013000443.tif 000004
【図３】
2013000443.tif 000005